(57)【要約】【課題】通信の不具合による動作不良を抑制できる照明システムを提供する。【解決手段】光源を点灯させる点灯装置と、前記点灯装置による前記光源の点灯を制御する制御ユニットと、を備え、前記制御ユニットは、外部機器と通信を行い、前記外部機器から入力される外部信号を前記点灯装置に対応した制御信号に変換し、変換後の前記制御信号を前記点灯装置に送信し、前記外部信号及び前記制御信号は、前記光源の点灯状態に関する情報を含み、前記点灯装置は、前記制御ユニットから受信した前記制御信号に基づいて前記光源の点灯状態を制御し、前記点灯装置及び前記制御ユニットは、前記制御信号に含まれる前記情報を記憶するとともに、記憶した前記情報を所定のタイミングで互いに確認する照明システムが提供される。【選択図】図１
2020167043.tif 000002
【特許請求の範囲】
【請求項１】
光源を点灯させる点灯装置と、
前記点灯装置による前記光源の点灯を制御する制御ユニットと、
を備え、
前記制御ユニットは、外部機器と通信を行い、前記外部機器から入力される外部信号を前記点灯装置に対応した制御信号に変換し、変換後の前記制御信号を前記点灯装置に送信し、
前記外部信号及び前記制御信号は、前記光源の点灯状態に関する情報を含み、
前記点灯装置は、前記制御ユニットから受信した前記制御信号に基づいて前記光源の点灯状態を制御し、
前記点灯装置及び前記制御ユニットは、前記制御信号に含まれる前記情報を記憶するとともに、記憶した前記情報を所定のタイミングで互いに確認する照明システム。
【請求項２】
前記点灯装置は、記憶した前記情報が前記制御ユニットの記憶した前記情報と異なる場合に、記憶した前記情報を前記制御ユニットの記憶した前記情報に置き換える請求項１記載の照明システム。
【請求項３】
前記制御ユニットは、記憶した前記情報が前記点灯装置の記憶した前記情報と異なる場合に、記憶した前記情報を前記点灯装置の記憶した前記情報に置き換える請求項１記載の照明システム。
【請求項４】
前記点灯装置及び前記制御ユニットは、記憶した前記情報が互いに異なる場合に、記憶した前記情報を予め設定された初期値に置き換える請求項１記載の照明システム。
【請求項５】
前記制御ユニットは、通信規格の異なる前記外部信号を前記外部機器から受信した場合に、報知を行う請求項１〜４のいずれか１つに記載の照明システム。
【請求項６】
前記報知は、前記光源の点滅又は減光である請求項５記載の照明システム。
【発明の詳細な説明】
【技術分野】
【０００１】
本発明の実施形態は、照明システムに関する。
【背景技術】
【０００２】
光源を点灯させる点灯装置と、点灯装置による光源の点灯を制御する制御ユニットと、を備えた照明システムが知られている。制御ユニットは、タブレット端末などの外部機器と通信を行い、外部機器から入力される外部信号を点灯装置に対応した制御信号に変換し、その制御信号を点灯装置に送信する。
【０００３】
外部信号及び制御信号は、例えば、光源の明るさを変化させる調光情報や、光源から照射される光の色を変化させる調色情報など、光源の点灯状態に関する情報を含んでいる。これにより、点灯装置は、制御ユニットから受信した制御信号に基づいて光源の点灯状態を制御する。
【０００４】
このように、照明システムでは、外部機器から入力される外部信号に応じて、光源の点灯・消灯、明るさ、光の色などの点灯状態を制御できるようにする。これにより、使用者の好みなどに応じて点灯状態を変化させることができ、快適性や演出性などを向上させることができる。
【０００５】
こうした照明システムでは、通信の不具合により、動作不良を起こしてしまうことが懸念される。例えば、制御ユニットと点灯装置との間の通信の不具合により、制御ユニットの記憶している制御信号の情報が、点灯装置の記憶している制御信号の情報と異なってしまう可能性がある。この場合、光源の点灯状態が不安定になってしまう可能性がある。
【０００６】
また、例えば、外部機器と照明システムとの通信規格が異なり、照明システムを外部機器で適切に操作できない場合がある。この場合、外部機器と照明システムとのどちらに不具合があるのか把握することが難しく、復旧に負荷がかかってしまう。
【０００７】
このため、点灯装置と制御ユニットとを備えた照明システムでは、通信の不具合による動作不良を抑制できるようにすることが望まれる。
【先行技術文献】
【特許文献】
【０００８】
【特許文献１】特許第５８７０３５号公報
【発明の概要】
【発明が解決しようとする課題】
【０００９】
通信の不具合による動作不良を抑制できる照明システムを提供することを目的とする。
【課題を解決するための手段】
【００１０】
本発明の実施形態によれば、光源を点灯させる点灯装置と、前記点灯装置による前記光源の点灯を制御する制御ユニットと、を備え、前記制御ユニットは、外部機器と通信を行い、前記外部機器から入力される外部信号を前記点灯装置に対応した制御信号に変換し、変換後の前記制御信号を前記点灯装置に送信し、前記外部信号及び前記制御信号は、前記光源の点灯状態に関する情報を含み、前記点灯装置は、前記制御ユニットから受信した前記制御信号に基づいて前記光源の点灯状態を制御し、前記点灯装置及び前記制御ユニットは、前記制御信号に含まれる前記情報を記憶するとともに、記憶した前記情報を所定のタイミングで互いに確認する照明システムが提供される。
【発明の効果】
【００１１】
本発明の実施形態によれば、通信の不具合による動作不良を抑制できる照明システムを提供することができる。
【図面の簡単な説明】
【００１２】
【図１】実施形態に係る照明システムを模式的に表すブロック図である。
【図２】実施形態に係る照明システムの動作の一例を模式的に表すフローチャートである。
【図３】実施形態に係る照明システムの動作の変形例を模式的に表すフローチャートである。
【図４】実施形態に係る照明システムの動作の変形例を模式的に表すフローチャートである。
【図５】実施形態に係る照明システムの動作の一例を模式的に表すフローチャートである。
【図６】実施形態に係る照明システムの動作の変形例を模式的に表すフローチャートである。
【発明を実施するための形態】
【００１３】
以下に、各実施の形態について図面を参照しつつ説明する。  
なお、図面は模式的または概念的なものであり、各部分の厚みと幅との関係、部分間の大きさの比率などは、必ずしも現実のものと同一とは限らない。また、同じ部分を表す場合であっても、図面により互いの寸法や比率が異なって表される場合もある。  
なお、本願明細書と各図において、既出の図に関して前述したものと同様の要素には同一の符号を付して詳細な説明は適宜省略する。
【００１４】
図１は、実施形態に係る照明システムを模式的に表すブロック図である。  
図１に表したように、照明システム１０は、点灯装置２０と、制御ユニット３０と、を備える。
【００１５】
点灯装置２０は、光源４０を点灯させる。点灯装置２０は、光源４０と接続され、光源４０に電力を供給することにより、光源４０を点灯させる。光源４０は、例えば、発光ダイオードである。但し、光源４０は、発光ダイオードに限ることなく、例えば、有機ＥＬ（Electro-Luminescence）素子などの他の発光素子でもよいし、電球や放電管などでもよい。なお、光源４０は、点灯装置２０に対して外部接続される構成に限ることなく、点灯装置２０内に組み込む構成としてもよい。
【００１６】
制御ユニット３０は、外部機器２と通信を行い、外部機器２から入力される外部信号を点灯装置２０に対応した制御信号に変換し、変換後の制御信号を点灯装置２０に送信する。
【００１７】
外部信号及び制御信号は、光源４０の点灯状態に関する情報（以下、点灯状態情報と称す）を含む。外部信号及び制御信号は、例えば、光源４０の明るさを変化させる調光情報、及び光源４０から照射される光の色を変化させる調色情報の少なくとも一方を、点灯状態情報として含む。光源４０は、例えば、発光色の異なる複数の発光素子を有し、各発光素子から照射される光の強度を変化させることによって、照射する光の色を変化させることができる。
【００１８】
点灯装置２０は、制御ユニット３０から受信した制御信号に基づいて光源４０の点灯状態を制御する。点灯装置２０は、例えば、制御信号を基に、光源４０の点灯・消灯の切り替え、光源４０の明るさを変化させる調光、あるいは光源４０から照射される光の色を変化させる調色などを行う。但し、光源４０の点灯状態は、これらに限ることなく、光源４０の点灯に関連する任意の状態でよい。
【００１９】
これにより、照明システム１０では、外部機器２を操作し、外部機器２から制御ユニット３０に制御信号を送信することで、光源４０の点灯状態を制御することができる。照明システム１０では、使用者の好みなどに応じて光源４０の点灯状態を変化させることができ、快適性や演出性などを向上させることができる。
【００２０】
外部機器２は、例えば、スマートフォンやタブレット端末などの携帯端末である。外部機器２は、例えば、屋内の壁面などに設けた制御機器や専用のリモートコントローラなどでもよい。制御ユニット３０と外部機器２との間の通信は、有線でもよいし、無線でもよい。
【００２１】
また、制御ユニット３０と外部機器２との間の通信は、例えば、ＩＥＣ６２３８６に準ずるＤＡＬＩ（Digital Addressable Lighting Interface）信号フォーマットなどの所定の通信規格によって行われる。但し、制御ユニット３０と外部機器２との間の通信の通信規格は、ＤＡＬＩに限ることなく、調光情報や調色情報などの点灯状態情報を含めることができる任意の通信規格でよい。
【００２２】
点灯装置２０は、例えば、制御部２１と、点灯回路２２と、電源回路２３と、を有する。電源回路２３は、外部電源４と接続されている。電源回路２３は、外部電源４から供給された電力を制御部２１及び点灯回路２２に対応する所定の電力に変換し、変換後の電力を制御部２１及び点灯回路２２に供給する。
【００２３】
外部電源４は、例えば、交流の商用電源である。電源回路２３は、例えば、外部電源４から供給された交流電力を制御部２１及び点灯回路２２に対応する直流電力に変換し、変換後の直流電力を制御部２１及び点灯回路２２に供給する。電源回路２３は、例えば、ＡＣ−ＤＣコンバータである。
【００２４】
なお、電源回路２３から点灯回路２２に供給する電力は、電源回路２３から制御部２１に供給する電力と同じでもよいし、異なってもよい。すなわち、電源回路２３は、制御部２１及び点灯回路２２のそれぞれに対応させて電圧値などを変化させてもよい。
【００２５】
制御部２１は、電源回路２３からの電力の供給に応じて起動する。制御部２１は、制御ユニット３０と通信を行い、制御ユニット３０から制御信号を受信する。そして、制御部２１は、受信した制御信号に基づいて、点灯回路２２の動作を制御する。
【００２６】
点灯回路２２は、制御部２１による制御に基づいて、電源回路２３から供給された電力を制御信号に対応した所定の電力に変換し、変換後の電力を光源４０に供給する。これにより、点灯・消灯、光の明るさ、又は光の色などの光源４０の点灯状態を、制御信号に基づいて制御することができる。点灯回路２２は、例えば、ＤＣ−ＤＣコンバータである。
【００２７】
制御ユニット３０は、配線５１〜５５を介して点灯装置２０と接続されている。配線５１〜５５は、例えば、点灯装置２０及び制御ユニット３０のそれぞれに対して着脱可能に接続される。換言すれば、制御ユニット３０は、配線５１〜５５を介して点灯装置２０と着脱可能に接続される。
【００２８】
配線５１、５２は、点灯装置２０の電源回路２３と接続されている。これにより、制御ユニット３０には、点灯装置２０の電源回路２３から電力が供給される。配線５１、５２は、換言すれば、一対の電源線である。
【００２９】
配線５３〜５５は、点灯装置２０の制御部２１と接続されている。制御ユニット３０は、配線５３〜５５を介して点灯装置２０の制御部２１と接続され、点灯装置２０の制御部２１と有線で通信する。
【００３０】
制御ユニット３０は、例えば、制御部３１と、通信部３２と、を有する。制御部３１及び通信部３２は、配線５１、５２を介して点灯装置２０の電源回路２３と接続され、電源回路２３からの電力に供給によって動作する。
【００３１】
制御部３１は、点灯装置２０の電源回路２３からの電力の供給に応じて起動する。点灯装置２０の制御部２１及び制御ユニット３０の制御部３１は、電源回路２３からの電力の供給に応じて、それぞれ独立して起動する。
【００３２】
通信部３２は、外部機器２との通信を行う。通信部３２は、外部機器２から外部信号を受信し、受信した外部信号を制御部３１に入力する。なお、通信部３２と外部機器２との間の通信は、前述のように、有線でもよいし、無線でもよい。通信部３２は、外部機器２との通信規格に準拠した任意の通信インタフェースでよい。
【００３３】
制御部３１は、通信部３２から入力された外部信号を点灯装置２０に対応した制御信号に変換し、変換後の制御信号を点灯装置２０に送信する。これにより、外部信号の入力に基づいて、点灯装置２０に制御信号を送信し、光源４０の点灯状態を制御することができる。
【００３４】
また、点灯装置２０の制御部２１及び制御ユニット３０の制御部３１は、制御信号に含まれる調光情報や調色情報などの点灯状態情報を記憶する。なお、点灯状態情報の記憶は、制御部２１、３１の内部メモリなどに記憶してもよいし、制御部２１、３１に接続された外部メモリなどに記憶してもよい。
【００３５】
制御部３１は、配線５３〜５５を介して点灯装置２０の制御部２１と接続されている。配線５３は、例えば、制御ユニット３０の制御部３１から点灯装置２０の制御部２１に信号を送信するための通信線である。制御ユニット３０の制御部３１は、例えば、配線５３を介して制御信号を点灯装置２０の制御部２１に送信する。配線５４は、例えば、点灯装置２０の制御部２１から制御ユニット３０の制御部３１に信号を送信するための通信線である。
【００３６】
配線５５は、例えば、点灯装置２０の制御部２１から制御ユニット３０の制御部３１にリセット信号を送信するためのリセット線である。配線５５は、例えば、制御部３１のマイクロコンピュータのリセット端子と電気的に接続されている。これにより、点灯装置２０の制御部２１からのリセット信号の入力により、制御ユニット３０の制御部３１にリセット動作を実行させることができる。ここで、リセット動作とは、より具体的には、制御ユニット３０の制御部３１の動作を初期状態に戻す動作である。
【００３７】
この例では、点灯装置２０と制御ユニット３０とを有線で接続し、点灯装置２０から制御ユニット３０に電力を供給している。例えば、制御ユニット３０にも電源回路を設け、点灯装置２０と制御ユニット３０とを、それぞれ個別に外部電源４に接続してもよい。この場合、電源線である配線５１、５２を省略することができる。また、点灯装置２０と制御ユニット３０とを個別に外部電源４に接続する場合などには、配線５３〜５５を省略し、点灯装置２０の制御部２１と制御ユニット３０の制御部３１との間の通信を無線で行ってもよい。
【００３８】
図２は、実施形態に係る照明システムの動作の一例を模式的に表すフローチャートである。  
図２は、照明システム１０の点灯装置２０と制御ユニット３０との間の通信の動作の一例を模式的に表す。  
図２に表したように、制御ユニット３０の制御部３１は、点灯装置２０の制御部２１に確認信号を送信する（図２のステップＳ１０１）。確認信号は、例えば、点灯装置２０の制御部２１と動作状態の確認を行うための信号である。この際、制御ユニット３０の制御部３１は、記憶している点灯状態情報を確認信号に含める。
【００３９】
点灯装置２０の制御部２１は、確認信号を受信すると、確認信号に含まれる制御ユニット３０の点灯状態情報が、自身の記憶している点灯状態情報と一致するか否かを判定する（図２のステップＳ２０１、２０２）。制御部２１は、例えば、調光情報の値（調光度）や調色情報の値が一致しているか否かを判定する。
【００４０】
点灯装置２０の制御部２１は、一致していないと判定した場合には、自身の記憶した点灯状態情報を制御ユニット３０の記憶した点灯状態情報に置き換える（図２のステップＳ２０３）。
【００４１】
点灯装置２０の制御部２１は、点灯状態情報を置き換えた後、確認信号に対する応答信号を制御ユニット３０の制御部３１に送信する（図２のステップＳ２０４）。また、点灯装置２０の制御部２１は、点灯状態情報が一致していると判定した場合には、置き換えを行うことなく、応答信号を制御ユニット３０の制御部３１に送信する。
【００４２】
この際、点灯装置２０の制御部２１は、応答信号に点灯状態情報を含める。点灯装置２０の制御部２１は、点灯状態情報の置き換えを行った場合、置き換え後の点灯状態情報を応答信号に含める。
【００４３】
制御ユニット３０の制御部３１は、応答信号を受信すると、応答信号に含まれる点灯装置２０の点灯状態情報が、自身の記憶している点灯状態情報と一致するか否かを判定する（図２のステップＳ１０２、１０３）。このように、点灯装置２０及び制御ユニット３０は、制御信号に含まれる点灯状態情報を記憶するとともに、記憶した点灯状態情報を所定のタイミングで互いに確認する。
【００４４】
制御ユニット３０の制御部３１は、一致していないと判定した場合には、確認信号を点灯装置２０の制御部２１に再度送信する。一方、制御ユニット３０の制御部３１は、一致していると判定した場合には、一定期間経過した後、確認信号を点灯装置２０の制御部２１に再度送信する（図２のステップＳ１０４）。すなわち、制御ユニット３０の制御部３１は、点灯状態情報が一致している正常な状態の場合には、確認信号を定期的に点灯装置２０の制御部２１に送信する。
【００４５】
例えば、制御ユニット３０から点灯装置２０に制御信号を送信する際に、制御信号にノイズが乗り、制御信号が適切に点灯装置２０に受信されなくなってしまうなど、制御ユニット３０と点灯装置２０との間の通信の不具合により、制御ユニット３０の記憶している点灯状態情報が、点灯装置２０の記憶している点灯状態情報と異なってしまう可能性がある。
【００４６】
これに対し、照明システム１０では、点灯装置２０及び制御ユニット３０が、制御信号に含まれる点灯状態情報を記憶するとともに、記憶した点灯状態情報を所定のタイミングで互いに確認する。これにより、点灯状態情報が異なる状態で動作が継続され、光源４０の点灯状態が不安定になってしまうことを抑制することができる。従って、通信の不具合による動作不良を抑制することができる。
【００４７】
また、照明システム１０では、点灯装置２０が、記憶した点灯状態情報が制御ユニット３０の記憶した点灯状態情報と異なる場合に、記憶した点灯状態情報を制御ユニット３０の記憶した点灯状態情報に置き換える。これにより、通信の不具合による動作不良を、より確実に抑制することができる。また、このように、制御ユニット３０の点灯状態情報を優先する場合には、制御ユニット３０の外部機器２に対する点灯状態情報の相違を少なくでき、照明システム１０としての安定性をより確保することができる。
【００４８】
図３は、実施形態に係る照明システムの動作の変形例を模式的に表すフローチャートである。  
図３は、照明システム１０の点灯装置２０と制御ユニット３０との間の通信の動作の変形例を模式的に表す。なお、図２に関して既に説明した動作と実質的に同じ動作については、説明を省略する。
【００４９】
図３に表したように、この例では、制御ユニット３０の制御部３１が確認信号を送信した後、点灯装置２０の制御部２１が確認信号の受信に応答して即座に応答信号を制御ユニット３０の制御部３１に送信する（図３のステップＳ１１１、Ｓ２１１、Ｓ２１２）。
【００５０】
制御ユニット３０の制御部３１は、応答信号を受信すると、応答信号に含まれる点灯装置２０の点灯状態情報が、自身の記憶している点灯状態情報と一致するか否かを判定する（図３のステップＳ１１２、１１３）。
【００５１】
制御ユニット３０の制御部３１は、一致していないと判定した場合には、自身の記憶した点灯状態情報を点灯装置２０の記憶した点灯状態情報に置き換える（図３のステップＳ１１４）。
【００５２】
制御ユニット３０の制御部３１は、一致していないと判定して点灯状態情報の置き換えを行った場合、及び一致していると判定した場合には、一定期間経過した後、確認信号を点灯装置２０の制御部２１に再度送信する（図３のステップＳ１１５）。
【００５３】
このように、制御ユニット３０が、記憶した点灯状態情報が点灯装置２０の記憶した点灯状態情報と異なる場合に、記憶した点灯状態情報を点灯装置２０の記憶した点灯状態情報に置き換えてもよい。この場合には、点灯状態情報の置き換えによって点灯状態が変化してしまうことがないため、使用者などに明るさや色の変化などの違和感を与えてしまうことを抑制することができる。
【００５４】
図４は、実施形態に係る照明システムの動作の変形例を模式的に表すフローチャートである。  
図４は、照明システム１０の点灯装置２０と制御ユニット３０との間の通信の動作の変形例を模式的に表す。
【００５５】
図４に表したように、この例では、点灯装置２０の制御部２１が、確認信号に含まれる制御ユニット３０の点灯状態情報が、自身の記憶している点灯状態情報と一致するか否かを判定し、一致していないと判定した場合に、自身の記憶した点灯状態情報を予め設定された初期値に置き換えている（図４のステップＳ２２３）。
【００５６】
そして、この例では、制御ユニット３０の制御部３１が、応答信号に含まれる点灯装置２０の点灯状態情報が、自身の記憶している点灯状態情報と一致していないと判定した場合に、自身の記憶した点灯状態情報を予め設定された初期値に置き換えている（図４のステップＳ１２４）。
【００５７】
このように、点灯装置２０及び制御ユニット３０は、記憶した点灯状態情報が互いに異なる場合に、記憶した点灯状態情報を予め設定された初期値に置き換えてもよい。この場合には、例えば、点灯装置２０の点灯状態情報を優先する場合や制御ユニット３０の点灯状態情報を優先する場合と比べて、ソフトウェアなどの構成をシンプルにすることができ、照明システム１０の構成を簡潔することができる。
【００５８】
なお、点灯装置２０及び制御ユニット３０が、記憶した点灯状態情報を所定のタイミングで互いに確認する方法は、上記に限定されるものではない。例えば、図２〜図４に表した例では、制御ユニット３０から点灯装置２０に確認信号を送信しているが、これとは反対に、点灯装置２０から制御ユニット３０に確認信号を送信して点灯状態情報の確認を行ってもよい。点灯状態情報を確認する方法は、点灯装置２０と制御ユニット３０との間で点灯状態情報を適切に確認可能な任意の方法でよい。
【００５９】
また、図２〜図４に表した例では、確認信号を送信することにより、点灯状態情報の確認を定期的に行っている。これに限ることなく、例えば、外部機器２から制御ユニット３０に入力される信号に基づいて、点灯状態情報の確認を行ってもよい。このように、点灯状態情報を確認するタイミングは、任意のタイミングでよい。
【００６０】
また、外部機器２からの信号に基づいて点灯状態情報の確認を行った場合には、確認の結果を外部機器２に送信し、外部機器２の表示部などに確認結果を表示してもよい。これにより、点灯装置２０及び制御ユニット３０に記憶された点灯状態情報を外部機器２で確認することができる。すなわち、光源４０の調光度や色の設定の状態を外部機器２で確認することができる。
【００６１】
図５は、実施形態に係る照明システムの動作の一例を模式的に表すフローチャートである。  
図５は、外部機器２と制御ユニット３０との間の通信の動作の一例を模式的に表す。  
図５に表したように、外部機器２は、使用者の操作などに応じて、点灯状態情報を含む外部信号を制御ユニット３０の通信部３２に送信する（図５のステップＳ３０１）。
【００６２】
制御ユニット３０の通信部３２は、外部信号を受信すると、その外部信号を制御部３１に入力する（図５のステップＳ４０１）。
【００６３】
制御ユニット３０の制御部３１は、外部信号の入力を受けると、入力された外部信号の通信規格が、自身の通信規格と一致するか否かを判定する（図５のステップＳ４０２）。
【００６４】
制御ユニット３０の制御部３１は、一致すると判定した場合、入力された外部信号を制御信号に変換し、点灯装置２０の制御部２１に制御信号を送信することにより、入力された外部信号の点灯状態情報に基づいて光源４０の点灯状態を制御する（図５のステップＳ４０３）。
【００６５】
一方、制御ユニット３０の制御部３１は、一致しないと判定した場合、不一致時用の信号を点灯装置２０の制御部２１に送信し、光源４０を点滅又は減光させることにより、通信規格の不一致を使用者などに報知する（図５のステップＳ４０４）。
【００６６】
このように、制御ユニット３０は、通信規格の異なる外部信号を外部機器２から受信した場合に、光源４０を点滅又は減光させることにより、報知を行う。これにより、例えば、外部機器２と照明システム１０との通信規格が異なり、照明システム１０を外部機器２で適切に操作できない場合に、外部機器２と照明システム１０とのどちらに不具合があるのかを使用者などに把握させ易くすることができる。
【００６７】
すなわち、照明システム１０を外部機器２で操作できない場合に、報知があった場合には、外部機器２側に不具合があると認識させ、報知がなかった場合には、照明システム１０側に不具合があると認識させることができる。従って、復旧に対する負荷を軽減させることができる。そして、これにより、外部機器２と照明システム１０との間の通信の不具合による動作不良も、適切に抑制することができる。
【００６８】
図６は、実施形態に係る照明システムの動作の変形例を模式的に表すフローチャートである。  
図６は、外部機器２と制御ユニット３０との間の通信の動作の変形例を模式的に表す。  図６に表したように、この例では、制御ユニット３０の制御部３１が、入力された外部信号の通信規格が、自身の通信規格と一致するか否かを判定し、一致しないと判定した場合、通知信号を外部機器２に送信する（図６のステップＳ４１４）。通知信号を受信した外部機器２は、表示部などに通知信号の受信を表示する。これにより、上記と同様に、通信規格の不一致を使用者などに報知することができる。
【００６９】
このように、通信規格の不一致の報知は、光源４０の点滅又は減光に限ることなく、通知信号の送信でもよい。なお、通知信号の送信先は、外部機器２に限ることなく、他の上位の制御コントローラなどでもよい。通信規格の不一致の報知の態様は、上記に限ることなく、使用者や制御コントローラなどに報知が可能な任意の態様でよい。
【００７０】
本発明のいくつかの実施形態および実施例を説明したが、これらの実施形態または実施例は、例として提示したものであり、発明の範囲を限定することは意図していない。これら新規な実施形態または実施例は、その他の様々な形態で実施されることが可能であり、発明の要旨を逸脱しない範囲で、種々の省略、置き換え、変更を行うことができる。これら実施形態または実施例やその変形は、発明の範囲や要旨に含まれるとともに、特許請求の範囲に記載された発明とその均等の範囲に含まれる。
【符号の説明】
【００７１】
２…外部機器、  ４…外部電源、  １０…照明システム、  ２０…点灯装置、  ２１…制御部、  ２２…点灯回路、  ２３…電源回路、  ３０…制御ユニット、  ３１…制御部、  ３２…通信部、  ４０…光源、  ５１〜５５…配線
【図１】
2020167043.tif 000003
【図２】
2020167043.tif 000004
【図３】
2020167043.tif 000005
【図４】
2020167043.tif 000006
【図５】
2020167043.tif 000007
【図６】
2020167043.tif 000008